(57)【要約】【課題】薄型化することができ、設置スペースの効率化を図ることが可能となる薄型表示装置を提供する。【解決手段】背面側をパネル保持手段で保持された表示パネルと、表示パネルに接続された複数の駆動基板と、  パネル保持手段の背面側に配置され、接続される配線ケーブルの挿抜方向が表示パネルの表示面に略平行となるように実装された接続端子を含む回路基板と、を備え、これらを、前面側の外装筐体とリアカバーによって収容した薄型表示装置であって、  パネル保持手段は、駆動基板における接続端子と対向している位置側で、表示パネルの外周よりも外側に延設されたフランジ部を有し、  接続端子と対向している位置側の駆動基板が、フランジ部の外装筐体に面している側に配置されており、  接続端子と対向している位置側の駆動基板以外の他の駆動基板が、パネル保持手段の背面側で、且つ表示パネルの外周よりも内側となる位置に設置されている構成とする。【選択図】            図６
2010128001.tif 000002
【特許請求の範囲】
【請求項１】
背面側をパネル保持手段で保持された表示パネルと、
前記表示パネルの外周部に接続された複数の駆動基板と、
前記パネル保持手段の背面側に該パネル保持手段に対向して配置され、接続される配線ケーブルの挿抜方向が前記表示パネルの表示面に略平行となるように実装された接続端子を含む回路基板と、を備え、
これらを、前面側の外装筐体と背面側のリアカバーによって収容した薄型表示装置であって、
前記パネル保持手段は、前記駆動基板における前記接続端子と対向している位置側で、前記表示パネルの外周よりも外側に延設されたフランジ部を有し、
前記接続端子と対向している位置側の駆動基板が、前記フランジ部の前記外装筐体に面している側に配置されており、
前記接続端子と対向している位置側の駆動基板以外の他の駆動基板が、前記パネル保持手段の背面側で、且つ前記表示パネルの外周よりも内側となる位置に設置されていることを特徴とする薄型表示装置。
【請求項２】
前記フランジ部は、前記パネル保持手段の一部を平面的に延設して構成されていることを特徴とする請求項１に記載の薄型表示装置。
【請求項３】
前記フランジ部は、前記パネル保持手段の一部を略Ｚ型に形成して構成されていることを特徴とする請求項１に記載の薄型表示装置。
【発明の詳細な説明】
【技術分野】
【０００１】
本発明は薄型表示装置に関し、特に、外部機器およびカード、メディア等と接続される接続端子等の外部インターフェィスを備えた薄型表示装置に関するものである。
【背景技術】
【０００２】
液晶パネルやプラズマパネルに代表される薄型のパネルモジュールを用いた薄型表示装置は大画面化が進み、設置する際のスペース効率のよい装置が求められている。
設置する際のスペース効率を向上させるためには、装置の厚みを薄くすると共に装置を壁面に寄せて設置することが必要である。
また、薄型表示装置は各種用途に使用されるため、ハードディスクレコーダ、デジタルカメラ、等の様々な外部機器との接続可能な端子を有している。
特に、装置背面には多くの接続端子が設けられており、接続端子に接続される配線ケーブルの挿抜方向は装置背面方向もしくは接続端子が外周に向き、且つ装置の表示面に略平行とすることが一般的である。
【０００３】
薄型装置を壁に寄せて設置する際、薄型装置に接続された配線ケーブルは壁に沿って引き回し処理されるため、配線ケーブルの挿抜方向が装置の背面に対して垂直方向である場合には、接続端子と壁面の間で１８０°屈曲させる必要がる。一方、配線ケーブルの挿抜方向が装置の装置の表示面に対して略平行である場合には、壁面に平行なので、配線ケーブルは束線等の際のわずかな屈曲で引き回し処理することができる。
配線ケーブルは種類によりそれぞれ仕様が設けられており、最小の曲げ半径が規定されているものがある。
それらを規定値以下で無理に屈曲させて配線処理すると端子部に荷重が掛かるため、端子部の浮きによる接続不良など、仕様を満たすことができなくなってしまうこととなる。
また、配線ケーブルの挿抜方向が装置の背面に対して上記のように垂直方向である薄型表示装置では、装置の厚みを薄型化すると、配線ケーブルを接続し１８０°屈曲させた際に、装置背面から配線ケーブルが飛び出してしまうこととなる。そのため、装置を壁面に近づけることができない。
【０００４】
以上の理由により、設置スペースの効率がよい装置を実現するためには、接続端子を装置の外周に向け、接続される配線ケーブルの挿抜方向が装置の表示面に対して略平行となるように実装し、装置を薄型化することが必要である。
【０００５】
以下、図に基づいて従来技術に基づく接続端子を実装した薄型表示装置について説明する。
まず、図９、１０を用いて従来技術の薄型表示装置の外観について説明する。
図９は、従来技術に係る薄型表示装置の前面側斜視図を示し、図１０は背面側斜視図を示す。
薄型表示装置１０１は、画像を表示するパネルモジュール１０２を前面側からベゼル１０３、背面側からリアカバー１０４で収容した構造を備えている。
また、背面側にはリアカバー１０４に凹形状１０４ａを有し、配線ケーブル１５０を装置底面方向に挿抜可能となるように接続端子１０５を設けている。
配線ケーブル１５０には、放送波を受信するためのアンテナケーブル、外部機器との映像、音声信号を入力するためのＨＤＭＩケーブル、インターネット等に接続するためのＬＡＮケーブル等が含まれている。
図示されていないが、薄型表示装置１０１はスタンドや壁掛け金具で等で保持される。
【０００６】
つぎに、図１１を用いて薄型表示装置の構造を説明する。
図１１は、従来技術に係る薄型表示装置の分解斜視図を示す。
パネルモジュール１０２は、ガラス基板で構成された表示パネル１０６を背面側でシャーシ１０７にて保持し、シャーシ１０７の背面側には表示パネル１０６を駆動制御するため複数の駆動基板１０８がフレキシブル配線基板１０９で接続され、設置されている。
シャーシ１０７の材質は導電性金属であるアルミニウムもしくは鉄の薄板で、外形は表示パネル１０６と略同形状であり、電気回路的にはシャーシグランドとして機能している。
駆動基板１０８は、フレキシブル配線基板１０９を１８０度湾曲させシャーシ１０７の外周部を通して、シャーシ１０７の装置背面側に、表示パネル１０６の外形より内側に設置されている。
また、パネルモジュール１０２の背面側には、シャーシ１０７に対して接続端子１０５を実装した回路基板１１０ａおよび映像を表示するためのその他の回路基板群１１０が設置されている。
接続端子１０５は外周に向き、且つ配線ケーブル１５０挿抜方向が表示面に対して略並行になるように設置されている。
【０００７】
外装筐体であるベゼル１０３は、パネルモジュール１０２の外周部にスピーカーユニット１１３を保持している。
また、パネルモジュール１０２の表示範囲と略同サイズの開口部１０３ａとスピーカーユニット１１３の前面側にスピーカーユニット１１３を覆い、かつ音抜けを確保した細穴群１０３ｂを有している。
また、リアカバー１０４の背面側の凹形状１０４ａには、接続端子１０５に応じた開口群１０４ｂが設けられており、配線ケーブル１５０が挿抜可能となっている。
また、凹形状１０４ａは配線ケーブル１５０を接続した際に装置背面に飛び出ない深さとなっている。
【０００８】
ここで、薄型表示装置の厚みについて説明する。
図１２に、従来技術に係る薄型表示装置の断面図を示す。
薄型表示装置１０１の厚みＦは、ベゼル１０３、表示パネル１０６、シャーシ１０７、回路基板１１０（１１０ａ）、リアカバー１０４の厚みと、それら設置スペースからなる。
ベゼル１０３からシャーシ１０７背面までの寸法Ｇについては、それぞれの厚みのみで他に制約が存在しない。
一方、シャーシ１０７背面とリアカバー１０４とを含む寸法Ｈについては、凹形状１０４ａの深さ寸法Ｉと、駆動基板１０８を収容のするための寸法Ｊとが必要となる。
具体的には、回路基板１１０（１１０ａ）の厚みをリアカバー１０４で収容するだけではなく、リアカバー１０４の凹形状１０４ａの深さ寸法Ｉと、凹形状１０４ａの底面側で、シャーシ１０７の背面側に駆動基板１０８を収容のするための寸法Ｊが必要となる。
つまり、薄型表示装置１０１の厚みはＦ＝Ｇ＋Ｈ、ただしＨ＝Ｉ＋Ｊとなる。
【０００９】
また、特許文献１では、つぎのような薄型表示装置が提案されている。
この装置では、外部機器に接続される接続ケーブルのコネクタが接続可能な外部接続端子を表示部の背面側に設けた薄型表示装置において、この外部接続端子を表示部の画面垂直方向に対し、所定の鋭角を有した方向に接続ケーブルのコネクタと接続される。
つまり、回路基板から、接続端子の実装された接続端子基板を分割して、装置背面に対して斜めに設置し薄型化するように構成されている。
【特許文献１】特開２００６−３５０２９６号公報
【発明の開示】
【発明が解決しようとする課題】
【００１０】
ところで、上記図９から図１２で説明した従来技術では、薄型表示装置の厚みは、上記したように、ベゼル、表示パネル、シャーシ、回路基板、リアカバーの厚みと、それら設置スペースからなる。
しかしながら、上記従来技術においては、シャーシ背面からリアカバーまでの寸法に、つぎのような制約が生じる。
すなわち、ここでの制約は、シャーシに対して接続端子を実装した回路基板の設置を設置した際に生じる。
接続端子１０５に配線ケーブル１５０を接続した際に、配線ケーブルが装置の背面より飛び出ないように設けた凹形状１０４ａが必要となる。
リアカバーに配線ケーブルが装置背面より飛び出ないように凹形状を設けることは、接続端子が外周に向き、且つ配線ケーブルの挿抜方向が装置の表示面に略並行である薄型表示装置において必要な制約である。
このような制約のもとで、上記したように凹形状１０４ａの底面側で、シャーシ１０７の背面側に駆動基板１０８を収容するためのスペースである寸法Ｊが必要となることから、薄型表示装置の厚みは、この寸法Ｊの分だけ厚くなってしまうこととなる。
【００１１】
また、特許文献１記載の構造では、回路基板から、接続端子を実装した接続端子基板を分割する必要があるため、コストがかかる。
また、薄型装置を壁に寄せて設置する際、薄型装置に接続された配線ケーブルは壁に沿って引き回し処理される。
その際、配線ケーブルの挿抜方向が装置の背面に対して斜め方向であるため、接続端子と壁面の間で配線ケーブルを規定の曲げ半径以上に屈曲させることが必要となる。そのため、装置の背面と壁面の間に隙間を設ける必要がある。
以上の理由により、上記したいずれの従来技術においても、装置の設置スペースの効率が悪くなってしまうという課題を有している。
【００１２】
本発明は、上記課題に鑑み、薄型化することができ、背面側の配線ケーブルの引き回しによる制約を抑制し、壁面に対して近づけて設置することができ、設置スペースの効率化を図ることが可能となる薄型表示装置を提供することを目的とするものである。
【課題を解決するための手段】
【００１３】
本発明は、次のように構成した薄型表示装置を提供するものである。
本発明の薄型表示装置は、背面側をパネル保持手段で保持された表示パネルと、
前記表示パネルの外周部に接続された複数の駆動基板と、
前記パネル保持手段の背面側に該パネル保持手段に対向して配置され、接続される配線ケーブルの挿抜方向が前記表示パネルの表示面に略平行となるように実装された接続端子を含む回路基板と、を備え、
これらを、前面側の外装筐体と背面側のリアカバーによって収容した薄型表示装置であって、
前記パネル保持手段は、前記駆動基板における前記接続端子と対向している位置側で、前記表示パネルの外周よりも外側に延設されたフランジ部を有し、
前記接続端子と対向している位置側の駆動基板が、前記フランジ部の前記外装筐体に面している側に配置されており、
前記接続端子と対向している位置側の駆動基板以外の他の駆動基板が、前記パネル保持手段の背面側で、且つ前記表示パネルの外周よりも内側となる位置に設置されていることを特徴とする。
また、本発明の薄型表示装置は、前記フランジ部が、前記パネル保持手段の一部を平面的に延設して構成されていることを特徴とする。
また、本発明の薄型表示装置は、前記フランジ部が、前記パネル保持手段の一部を略Ｚ型に形成して構成されていることを特徴とする。
【発明の効果】
【００１４】
本発明によれば、薄型化することができ、背面側の配線ケーブルの引き回しによる制約を抑制し、壁面に対して近づけて設置することができ、設置スペースの効率化を図ることが可能となる薄型表示装置を実現することができる。
【発明を実施するための最良の形態】
【００１５】
本発明を実施するための最良の形態を、以下の実施例により説明する。
【実施例】
【００１６】
以下に、本発明の実施例について説明する。
［実施例１］
実施例１として、本発明の構成を適用した薄型表示装置の構成例について説明する。
図１に、本実施例における薄型表示装置の構成を説明する前面側斜視図を示す。
図２に、本実施例における薄型表示装置の構成を説明する背面側斜視図を示す。図１、図２において、１は薄型表示装置、２はパネルモジュール、３はベゼル、４はリアカバー、４ａは凹形状、５は接続端子、５０：配線ケーブルである。
【００１７】
本実施例の薄型表示装置は、背面側をパネル保持手段で保持された表示パネルと、前記表示パネルの外周部に接続された複数の駆動基板とを備えている。
また、前記パネル保持手段の背面側に該パネル保持手段に対向して配置され、接続される配線ケーブルの挿抜方向が前記表示パネルの表示面に略平行となるように実装された接続端子を含む回路基板を備えている。
そして、これらが前面側の外装筐体と背面側のリアカバーによって収容されている。
具体的には、図１、図２に示されるように、薄型表示装置１は画像を表示するパネルモジュール２を前面側からベゼル３、背面側からリアカバー４で収容した構造となっている。
また、背面側にはリアカバー４に凹形状４ａを有し、配線ケーブル５０を装置底面方向に挿抜可能となるように接続端子５が設けられている。
配線ケーブル５０は放送波を受信するためのアンテナケーブル、外部機器との映像、音声信号を入力するためのＨＤＭＩケーブル、インターネット等に接続するためのＬＡＮケーブル等がある。
図示しないが薄型表示装置１はスタンドや壁掛け金具で等で保持される。
【００１８】
つぎに、本実施例の薄型表示装置におけるパネルモジュールの詳細構造を説明する。
図３に、本実施例の薄型表示装置におけるパネルモジュールの詳細構造を説明する表示パネルの前面側斜視図を示す。
図４、本実施例の薄型表示装置におけるパネルモジュールの詳細構造を説明する表示パネルの背面側斜視図を示す。
図３、図４において、６は表示パネル、７はシャーシ（パネル保持手段）、７ａはフランジ部、８、８ａ、８ｂは駆動基板、９はフレキシブル配線基板である。
【００１９】
本実施例のパネルモジュール２は、ガラス基板で構成された表示パネル６が背面側でパネル保持手段であるシャーシ７によって保持されるように構成されている。
また、表示パネルの外周近傍から外側に向かってフレキシブル配線基板で放射状に接続された複数の駆動基板を備えている。
また、シャーシ７は、前記駆動基板における前記接続端子と対向している位置側で、前記表示パネルの外周よりも外側に延設されたフランジ部を有し、
前記接続端子と対向している位置側の駆動基板が、前記フランジ部の前記外装筐体に面している側に配置されるように構成されている。
そして、この前記フランジ部は、シャーシ７の一部を平面的に延設して構成することができる。
例えば、このシャーシ７の材質は、導電性金属であるアルミニウムもしくは鉄の薄板で形成することができる。
また、外形は表示パネルと略同形状であるが、一部に表示パネル６の外周より外側にフランジ部７ａを有する構成とし、電気回路的にはシャーシグランドとして機能させることができる。
複数の駆動基板８のなかでシャーシ７のフランジ部７ａに対向する駆動基板８ａは、シャーシ７のフランジ部７ａに、装置前面側で、且つ表示パネル６の外周よりも外側に設置される。
また、前記接続端子と対向している位置側の駆動基板以外の他の駆動基板は、前記シャーシの背面側で、且つ前記表示パネルの外周よりも内側となる位置に設置するように構成する。
例えば、その他の駆動基板８ｂは、フレキシブル配線基板９を１８０度湾曲させシャーシ７の外周部を通して、シャーシ７に、装置背面側で、且つ表示パネル６の外周よりも内側に設置するようにする。
【００２０】
つぎに、本実施例における薄型表示装置の構造を説明する。
図５に、本実施例における薄型表示装置の構造を説明する分解斜視図を示す。
図５において、１０、１０ａは回路基板である。
本実施例における薄型表示装置１のパネルモジュール２の背面側には、シャーシ７に対して、接続端子５を実装した回路基板１０ａおよび映像を表示するためのその他の回路基板群１０が設置されている。
接続端子５は外周に向き、且つ配線ケーブル５０挿抜方向が表示面に対して略並行となる向きに実装されている。
また、接続端子５に対向する位置には、シャーシ７のフランジ部７ａの前面側に駆動基板８ａが配置されている。
前面側の外装筐体であるベゼル３は、パネルモジュール２の外周部にスピーカーユニット１１を保持している。
そして、パネルモジュール２の表示範囲と略同サイズの開口部３ａとスピーカーユニット１１の前面側にスピーカーユニット１１を覆い、且つ音抜けを確保した細穴群３ｂを有している。
また、スピーカーユニットの対向する位置にはシャーシ７の装置背面側に、駆動基板８ｂが設置されている。
リアカバー４の背面側の凹形状４ａには接続端子５に応じた開口群４ｂが設けられており、配線ケーブル５０が挿抜可能となっている。
また、凹形状４ａは配線ケーブル５０を接続した際に装置背面に飛び出ない深さとなっている。
【００２１】
ここで、本実施例における薄型表示装置の厚みについて説明する。
図６に、本実施例の薄型表示装置における接続端子および回路基板を含む断面図を示す。
図７に、本実施例の薄型表示装置におけるスピーカーユニットを含む断面図を示す。
図６、図７において、１１はスピーカーユニットである。
Ａは薄型表示装置１の厚み寸法、Ｂはベゼル３とシャーシ７背面を含む寸法、Ｃはシャーシ７背面とリアカバー４を含む寸法、Ｄはリアカバー４の凹形状４ａの深さ寸法、Ｅは駆動基板８ａを収容するための寸法である。
【００２２】
本実施例における薄型表示装置１の厚みＡは、ベゼル３、表示パネル６、シャーシ７、回路基板１０（１０ａ）、リアカバー４の厚みとそれら設置スペースからなる。
ベゼル３からシャーシ７背面までの寸法Ｂについては、それぞれの厚みのみで他に制約が存在しない。
一方、シャーシ７背面よりリアカバー４までの寸法Ｃについては、駆動基板８ａはフランジ部７ａによってシャーシ７の背面より装置の前面側に収容されているため、駆動基板８ａを収容するための寸法Ｅは関係しない。
しかし、回路基板１０（１０ａ）の厚みをリアカバー４で収容すると共に、リアカバー４の凹形状４ａの深さ寸法Ｄが必要となる。
つまり、薄型表示装置１の厚みはＡ＝Ｂ＋Ｃ、ただしＣ＝Ｄとなる。
この時、薄型表示装置１の厚みＡにおけるスピーカーユニット１１設置スペースは、外装筐体であるベセル３およびリアカバー４の厚みを引いた寸法となる。
【００２３】
以上の本実施例の構成によれば、薄型表示装置の厚みは、ベゼル、表示パネル、シャーシ、回路基板、リアカバーの厚みとそれら設置スペースからなる。
しかし、凹形状４ａの底面側で、シャーシ７の背面側に駆動基板８ａを収容のするためのスペースを必要としない。
前述したように、接続端子が外周に向き、且つ配線ケーブルの挿抜方向が装置の表示面に略並行である薄型表示装置においては、配線ケーブルが装置の背面より飛び出ないようにするため、凹形状４ａを設けることが必要となる。
しかしながら、本実施例の構成によれば、前述した従来例のように、凹形状１０４ａの底面側で、シャーシ１０７の背面側に駆動基板１０８を収容するためのスペースを必要としないことから、その分だけ薄型表示装置の厚みを薄くすることが可能となる。
また、薄型装置を壁に寄せて設置する際、薄型装置に接続された配線ケーブルは壁に沿って引き回し処理される。
その際、配線ケーブルの挿抜方向が装置表示面および壁面に略平行であるため、配線ケーブル束線等の際のわずかな屈曲で引き回し処理することができる。
そのため、装置背面に配線が飛び出さないので、装置を壁面に寄せることができ、装置の設置スペースの効率を向上させることが可能となる。
さらに、薄型表示装置の厚みにおけるスピーカーユニットの設置スペースは外装筐体であるベゼルおよびリアカバーの厚みを引いた寸法となるため、外装筐体内部にスピーカーユニットを実装した薄型表示装置としては、最小の構成となる。
以上により、本実施例の構成によれば、薄型表示装置の厚みにおける最大のスピーカーユニットを設置することが可能となる。
【００２４】
［実施例２］
実施例２として、前記フランジ部を、前記パネル保持手段の一部を略Ｚ型に形成した薄型表示装置の構成例について説明する。
図８に、本実施例における薄型表示装置の接続端子および回路基板を含む断面図を示す。
図８において、実施例１で説明した構成には同じ構成に同一の符号が付されている。
【００２５】
本実施例の基本構成は実施例１と同様であるが、本実施例における薄型表示装置１では、パネルモジュール２がつぎのように構成されている。
すなわち、パネルモジュール２が、ガラス基板で構成された表示パネル６を、背面側でシャーシ７にて保持し、シャーシ７には表示パネル６を駆動制御するための複数の駆動基板８が、フレキシブル配線基板９で放射状に接続され、設置されている。
シャーシ７の材質は、導電性金属であるアルミニウムもしくは鉄の薄板で、外形は表示パネルと略同形状である。
このシャーシ７は、その一部に表示パネル６の外周よりも外側に、装置の前面側に向かって略Ｚ型に曲げて形成されたフランジ部７ｂを有しており、電気回路的にはシャーシグランドとして機能している。
複数の駆動基板８のなかでシャーシ７のフランジ部７ｂに対向する駆動基板８ｃは、シャーシ７のフランジ部７ｂに、装置前面側で、且つ表示パネル６の外周よりも外側に設置されている。
その他の駆動基板８ｂは、フレキシブル配線基板９を１８０度湾曲させシャーシ７の外周部を通して、シャーシ７に、装置背面側で、且つ表示パネル６の外周よりも内側に設置されている。
また、略Ｚ型フランジ部７ｂに設置した、駆動基板８ｃはシャーシ７の背面側より、装置背面側に飛び出ない位置となっている。
ここで、本実施例における薄型表示装置の厚みについて説明する。
薄型表示装置１の厚みＡはベゼル３、表示パネル６、シャーシ７、回路基板１０（１０ａ）、リアカバー４の厚みとそれら設置スペースで構成されている。
ベゼル３からシャーシ７背面までの寸法Ｂについては、それぞれの厚みのみで他に制約が存在しない。
一方、シャーシ７背面よりリアカバー４までの寸法Ｃについては、駆動電源８ｃは略Ｚ型フランジ部７ｂによってシャーシ７の背面より装置の前面側に収容されているため、駆動基板８ｃを収容するための寸法Ｅは関係しない。
しかし、回路基板１０（１０ａ）の厚みをリアカバー４で収容すると共に、リアカバー４の凹形状４ａの深さ寸法Ｄが必要となる。つまり、薄型表示装置１の厚みはＡ＝Ｂ＋Ｃ、ただしＣ＝Ｄとなる。
【００２６】
以上の本実施例の構成によれば、実施例１と同様に、凹形状４ａの底面側で、シャーシ７の背面側に駆動基板８ｃを収容するためのスペースを必要としない。
駆動基板を収容するためのスペースを必要としない分だけ薄型表示装置の厚みを薄くすることが可能となり、その他においても実施例１と同様の効果を得ることができる。
なお、本実施例では、シャーシを金属製の薄板で構成したが、複数の薄板を結合した、複層シャーシ等の結合加工部品でも実施可能である。
また、本実施例では、シャーシに駆動基板や回路基板を設置する構造としたが、別途シャーシに金属や樹脂等の取付け部材を用いて構成しても実施可能である。また、本実施例では、接続端子および配線ケーブルについて記載したが、抜き差し可能なＳＤカード等の各種メディア等にも実施可能である。
また、本実施例では、接続端子および配線ケーブルの挿抜方向を装置底面方向に設定したが、側面や上面側でも実施可能である。
【図面の簡単な説明】
【００２７】
【図１】本発明の実施例１における薄型表示装置の構成を説明する前面側斜視図。
【図２】本発明の実施例１における薄型表示装置の構成を説明する背面側斜視図。
【図３】本発明の実施例１における薄型表示装置におけるパネルモジュールの詳細構造を説明する表示パネルの前面側斜視図。
【図４】本発明の実施例１におけるパネルモジュールの詳細構造を説明する表示パネルの背面側斜視図。
【図５】本発明の実施例１における薄型表示装置の構造を説明する分解斜視図。
【図６】本発明の実施例１における薄型表示装置の接続端子および回路基板を含む断面図。
【図７】本発明の実施例１における薄型表示装置のスピーカーユニットを含む断面図。
【図８】本発明の実施例２における薄型表示装置の接続端子および回路基板を含む断面図。
【図９】従来技術における薄型表示装置を説明する前面側斜視図。
【図１０】従来技術における薄型表示装置を説明する背面側斜視図。
【図１１】従来技術における薄型表示装置を説明する分解斜視図。
【図１２】従来技術における薄型表示装置を説明する断面図。
【符号の説明】
【００２８】
１：薄型表示装置
２：パネルモジュール
３：ベゼル
３ａ：開口部
３ｂ：細口群
４：リアカバー
４ａ：凹形状
４ｂ：開口群
５：接続端子
６：表示パネル
７：シャーシ
７ａ、７ｂ：フランジ部
８、８ａ、８ｂ：駆動基板
９：フレキシブル配線基板
１０、１０ａ：回路基板
１１  スピーカーユニット
５０：配線ケーブル
【図１】
2010128001.tif 000003
【図２】
2010128001.tif 000004
【図３】
2010128001.tif 000005
【図４】
2010128001.tif 000006
【図５】
2010128001.tif 000007
【図６】
2010128001.tif 000008
【図７】
2010128001.tif 000009
【図８】
2010128001.tif 000010
【図９】
2010128001.tif 000011
【図１０】
2010128001.tif 000012
【図１１】
2010128001.tif 000013
【図１２】
2010128001.tif 000014